(57)【要約】【課題】確実にオスコネクタ接続部を清拭し、消毒することができる消毒キャップを提供する。【解決手段】消毒キャップ１は、キャップ本体２と、摺動部材３と、を備えている。キャップ本体２は、オスコネクタ接続部１０４の天面部１０４ｂが露出する開口部４ｂが形成されている。摺動部材３は、消毒液を含浸させる含浸部１２を有している。含浸部１２は、開口部４ｂの一端部の外側から、開口部４ｂの上部を通過し、開口部４ｂを間に挟んで一端部と反対側の他端部の外側まで摺動する清拭体１４を有する。【選択図】図１
2016168250.tif 000002
【特許請求の範囲】
【請求項１】
コネクタのオスコネクタ接続部に取り付けられ、前記オスコネクタ接続部の天面部が露出する開口部が形成されたキャップ本体と、
消毒液を含浸させる含浸部を有し、前記キャップ本体に摺動可能に支持される摺動部材と、を備え、
前記含浸部は、前記開口部の一端部の外側から、前記開口部の上部を通過し、前記天面部を間に挟んで前記一端部と反対側の他端部の外側まで摺動する清拭体を有する
消毒キャップ。
【請求項２】
前記摺動部材は、前記含浸部を前記キャップ本体の前記開口部に向けて付勢する付勢部材を有する
請求項１に記載の消毒キャップ。
【請求項３】
前記含浸部は、
前記摺動部材の摺動が完了した際に、前記開口部及び前記天面部を覆う保護体を有する
請求項１又は２に記載の消毒キャップ。
【請求項４】
前記キャップ本体は、前記摺動部材を摺動可能に支持する摺動支持部を有し、
前記摺動支持部は、前記摺動部材の摺動が完了した際に、前記摺動部材に当接するストッパーを有する
請求項１〜３のいずれかに記載の消毒キャップ。
【請求項５】
前記キャップ本体は、前記オスコネクタ接続部に設けたねじ部と螺合するねじ溝を有する
請求項１〜４のいずれかに記載の消毒キャップ。
【請求項６】
前記キャップ本体は、
前記オスコネクタ接続部の側面部と係合する第１挟持凹部が形成された第１部材と、
前記第１部材に接近及び離反し、前記オスコネクタ接続部の側面部と係合する第２挟持凹部が形成された第２部材と、を有し、
前記開口部は、前記第１部材と前記第２部材が接近した際に、前記第１挟持凹部と前記第２挟持凹部により形成される
請求項１〜４のいずれかに記載の消毒キャップ。
【請求項７】
前記キャップ本体は、
前記第１部材及び前記第２部材を回動可能に支持し、かつ前記第１部材及び前記第２部材を連結する回動軸を有する
請求項６に記載の消毒キャップ。
【発明の詳細な説明】
【技術分野】
【０００１】
本発明は、コネクタにおけるオスコネクタが接続されるオスコネクタ接続部に取り付けられる消毒キャップに関する。
【背景技術】
【０００２】
従来から、輸液、輸血、人工透析などを行う場合は、医療用のチューブを用いて液体を体内へ送る。そして、チューブ内の液体に薬液などの別の液体を合流させる場合には、シリンジやルアーテーパ部材等のオスコネクタと医療用のチューブとを液密に接続可能なコネクタが用いられる。なお、シリンジやルアーテーパ部材等のオスコネクタをオスルアーと呼称し、このオスルアーに接続されるコネクタをメスルアーと呼称することがある。
【０００３】
コネクタを使用する際には、使用者がアルコール等を含んだ脱脂綿を指で摘み、オスコネクタが接続されるオスコネクタ接続部を拭いていた。しかしながら、使用者の清拭作業の巧拙により、消毒が不十分となるおそれがあった。
【０００４】
また、近年では、清拭作業に用いる消毒キャップが知られている。例えば、特許文献１に記載された技術には、コネクタに螺合されるキャップ本体と、キャップ本体の裏面に設けられ、消毒液が含浸されたパッドと、を備えた医療用キャップが記載されている。この特許文献１に記載された医療用キャップは、キャップ本体をオスコネクタ接続部に螺合することで、オスコネクタ接続部の天面部を消毒液が含浸されたパッドで清拭し、オスコネクタ接続部を保護している。
【先行技術文献】
【特許文献】
【０００５】
【特許文献１】特表２０１０−５１６３４２号公報
【発明の概要】
【発明が解決しようとする課題】
【０００６】
しかしながら、特許文献１に記載された技術では、パッドはオスコネクタ接続部の軸心を中心に回転することで、オスコネクタ接続部の天面部を清拭しているため、パッドは天面部内の同じ箇所を移動している。そのため、特許文献１に記載された技術では、パッドで拭き取ったオスコネクタ接続部の汚れや細菌が、オスコネクタ接続部に再び付着するおそれがあるだけでなく、オスコネクタ接続部の汚れや細菌をパッドで塗り広げてしまうおそれがあった。
【０００７】
本発明の目的は、上記の問題点を考慮し、確実にオスコネクタ接続部を清拭し、消毒することができる消毒キャップを提供することにある。
【課題を解決するための手段】
【０００８】
上記課題を解決し、本発明の目的を達成するため、本発明の消毒キャップは、キャップ本体と、摺動部材と、を備えている。キャップ本体は、コネクタのオスコネクタ接続部に取り付けられ、オスコネクタ接続部の天面部が露出する開口部が形成されている。摺動部材は、消毒液を含浸させる含浸部を有し、キャップ本体に摺動可能に支持される。そして、含浸部は、開口部の一端部の外側から、開口部の上部を通過し、開口部を間に挟んで一端部と反対側の他端部の外側まで摺動する清拭体を有する。
【発明の効果】
【０００９】
本発明の消毒キャップによれば、確実にオスコネクタ接続部を清拭し、消毒することができる。
【図面の簡単な説明】
【００１０】
【図１】本発明の第１の実施の形態例にかかる消毒キャップを示す斜視図である。
【図２】本発明の第１の実施の形態例にかかる消毒キャップを示す断面図である。
【図３】本発明の第１の実施の形態例にかかる消毒キャップにおける清拭動作を示す断面図である。
【図４】本発明の第１の実施の形態例にかかる消毒キャップの変形例を示す断面図である。
【図５】本発明の第２の実施の形態例にかかる消毒キャップを示す斜視図である。
【図６】本発明の第２の実施の形態例にかかる消毒キャップをコネクタに取り付けた状態を示す斜視図である。
【図７】本発明の第３の実施の形態例にかかる消毒キャップを示す斜視図である。
【発明を実施するための形態】
【００１１】
以下、本発明の消毒キャップの実施の形態例について、図１〜図７を参照して説明する。なお、各図において共通の部材には、同一の符号を付している。また、本発明は、以下の形態に限定されるものではない。
【００１２】
＜１．第１の実施の形態例＞
１−１．消毒キャップの構成例
まず、図１〜図３を参照して本発明の第１の実施の形態例（以下、「本例」という。）にかかる消毒キャップの構成例について説明する。
図１は、本例の消毒キャップを示す斜視図、図２及び図３は、本例の消毒キャップを示す断面図である。
【００１３】
図１に示すように、本例の消毒キャップ１は、コネクタ１００に取り付けられ、コネクタ１００のオスコネクタ接続部１０４を清拭するために用いられる。
【００１４】
［コネクタ］
コネクタ１００は、コネクタ本体１０１と、コネクタ本体１０１に設けられた弁体１０２とを有している。コネクタ本体１０１には、２つのチューブ接続口１０３，１０３と、オスコネクタ接続部１０４が設けられている。オスコネクタ接続部１０４は、略円筒状に形成されている。図２に示すように、オスコネクタ接続部１０４の内部空間は、コネクタ本体の内部空間に設けられた流路１０５に連通している。オスコネクタ接続部１０４の筒孔１０４ａには、弁体１０２が固定されている。弁体１０２は、オスコネクタ接続部１０４の筒孔１０４ａにおける天面部１０４ｂ側の開口を閉塞している。
【００１５】
また、オスコネクタ接続部１０４の外周面には、ねじ部１０４ｃが設けられている。このねじ部１０４ｃには、例えば、オスコネクタの周囲に所定の距離をあけて設けられる不図示のロック部や、後述する消毒キャップ１が螺合する。
【００１６】
なお、消毒キャップ１が取り付けられるコネクタとしては、図１に示すＴ型ポートに限定されるものではなく、３つの接続部と流路切換部とを有する三方活栓や、２つの接続部を有する混注プラグ等その他各種のコネクタを用いることができる。
【００１７】
［消毒キャップ］
図１及び図２に示すように、消毒キャップ１は、キャップ本体２と、摺動部材３と、を有している。キャップ本体２は、略直方体状に形成されている。なお、キャップ本体２の形状は、略直方体状に限定されるものではなく、円柱や角柱状等その他各種の形状でキャップ本体２を形成してもよい。
【００１８】
キャップ本体２の長手方向の中間部には、螺合孔４が形成されている。螺合孔４は、キャップ本体２を上下方向に貫通して形成されている。螺合孔４の内壁面には、オスコネクタ接続部１０４のねじ部１０４ｃと螺合するねじ溝４ａが形成されている。
【００１９】
また、キャップ本体２の上部には、摺動支持部６が設けられている。摺動支持部６は、キャップ本体２の上面部から上下方向の下方に向けて矩形状に凹んだ凹部である。摺動支持部６は、キャップ本体２の長手方向に沿って延在している。
【００２０】
また、摺動支持部６における上下方向の下側の底面６ａには、螺合孔４の開口部４ｂが開口している。そして、キャップ本体２をコネクタ１００に取り付けた際に、開口部４ｂには、オスコネクタ接続部１０４の天面部１０４ｂが露出する。
【００２１】
摺動支持部６における短手方向に対向する壁面部６ｂには、ガイド溝７が形成されている。ガイド溝７は、キャップ本体２の長手方向に沿って延在している。また、ガイド溝７における長手方向の中途部には、ストッパー８が形成されている。ストッパー８は、ガイド溝７から短手方向に突出する突起である。そして、摺動支持部６は、摺動部材３を摺動可能に支持する。
【００２２】
摺動部材３は、スライダ１１と、含浸部１２と、付勢部材１３とを有している。スライダ１１は、上下方向の下方が開口した容器状に形成されている。スライダ１１の短手方向の両端部には、ガイド突起１１ａが設けられている。ガイド突起１１ａは、ガイド溝７に摺動可能に挿入される。
【００２３】
スライダ１１の下方の開口を閉じるようにして、付勢板１６が配置されている。付勢板１６は、平板状に形成されている。この付勢板１６には、含浸部１２が固定されている。
【００２４】
含浸部１２は、清拭体１４と、保護体１５とを有している。清拭体１４及び保護体１５としては、例えば、スポンジや不織布等によって構成される。そして、清拭体１４及び保護体１５には、消毒液が含浸される。保護体１５は、摺動部材３の長手方向の一側に配置され、清拭体１４は、摺動部材３の長手方向の他側に配置されている。
【００２５】
なお、本例では、含浸部１２を、清拭体１４と保護体１５に分けた例を説明したが、これに限定されるものではなく、例えば、一つのスポンジや不織布等で含浸部を形成し、清拭体１４と保護体１５とを分けずに構成してもよい。
【００２６】
付勢部材１３は、スライダ１１の内部空間に配置されている。付勢部材１３としては、例えば、コイルばね、板ばねやゴム等のその他各種の弾性を有する部材が用いられる。なお、本例では、付勢部材１３としてコイルばねを用いている。
【００２７】
付勢部材１３は、スライダ１１と付勢板１６の間に圧縮された状態で介在されている。そのため、付勢部材１３は、付勢板１６を介して含浸部１２を摺動支持部６の底面６ａに向けて付勢している。
【００２８】
１−２．消毒キャップの動作
次に、上述した構成を有する消毒キャップ１の清拭動作について図１〜図３を参照して説明する。
【００２９】
図１及び図２に示すように、まず、消毒キャップ１をコネクタ１００におけるオスコネクタ接続部１０４に取り付ける。すなわち、消毒キャップ１の螺合孔４にオスコネクタ接続部１０４を挿入し、消毒キャップ１又はコネクタ１００を回転させる。これにより、図２に示すように、消毒キャップ１の螺合孔４に設けたねじ溝４ａと、オスコネクタ接続部１０４に設けたねじ部１０４ｃが螺合し、消毒キャップ１がオスコネクタ接続部１０４に取り付けられる。
【００３０】
このとき、図１に示すように、オスコネクタ接続部１０４の天面部１０４ｂは、螺合孔４における摺動支持部６の底面６ａ側の開口部４ｂから露出する。また、摺動部材３は、摺動支持部６の長手方向の一側に配置されている。すなわち、摺動部材３は、螺合孔４の開口部４ｂを開放させた位置に配置されている。
【００３１】
次に、使用者は、摺動部材３を摺動支持部６に沿って長手方向の一側から他側まで摺動させる。そのため、摺動部材３に設けた含浸部１２の清拭体１４は、開口部４ｂの縁部の外側から、オスコネクタ接続部１０４の天面部１０４ｂを間に挟んだ反対側の縁部の外側まで移動する。
【００３２】
また、含浸部１２は、付勢部材１３によって摺動支持部６の底面６ａに向けて付勢されている。すなわち、含浸部１２は、開口部４ｂ上を移動する際に、開口部４ｂに向けて付勢される。そのため、含浸部１２の清拭体１４をオスコネクタ接続部１０４の天面部１０４ｂに押し付けることができ、天面部１０４ｂに付着した細菌や汚れを確実に拭き取ることができる。
【００３３】
さらに、清拭体１４は、天面部１０４ｂの端部から軸心を挟んで反対側の端部を越える位置まで一方向に移動している。これにより、清拭体１４によって天面部１０４ｂの全面を清拭することができる。さらに、清拭体１４が一方向に移動することで、清拭体１４が拭き取った細菌や汚れが再び天面部１０４ｂに付着することを防ぐことができる。その結果、消毒キャップ１によるオスコネクタ接続部１０４に対する清拭効果を高めることができる。
【００３４】
また、摺動部材３が摺動支持部６における長手方向の他側まで摺動すると、螺合孔４の開口部４ｂ及びオスコネクタ接続部１０４の天面部１０４ｂは、含浸部１２の保護体１５によって覆われる。この保護体１５は、オスコネクタ接続部１０４の天面部１０４ｂに細菌や汚れが付着することを保護する。
【００３５】
また、清拭を行った清拭体１４とは異なる部材である保護体１５で天面部１０４ｂを覆うことで、清拭時に拭き取った細菌や汚れが再び天面部１０４ｂに付着することを確実に防ぐことができる。
【００３６】
スライダ１１におけるガイド突起１１ａは、ストッパー８に当接する。そのため、摺動部材３は、摺動支持部６の長手方向の他側から一側に戻る移動が規制される。これにより、摺動部材３が使用者の意に反して移動することを防ぐことができ、消毒キャップ１を取り外すまで、オスコネクタ接続部１０４の天面部１０４ｂに細菌や汚れが付着することを防ぐことができる。
【００３７】
さらに、本例の消毒キャップ１によれば、摺動部材３を摺動支持部６に沿って一方向に摺動させるだけで清拭作業ができるため、使用者の清拭作業の巧拙に関係なく、オスコネクタ接続部１０４の清拭作業を行うことができ、清拭作業の安定化を図ることができる。
【００３８】
また、本例の消毒キャップ１によれば、清拭体１４と保護体１５を隣接して設け、清拭体１４で天面部１０４ｂを一回清拭する例を説明したが、これに限定されるものではない。例えば、清拭体１４と保護体１５との間に隙間を設け、一度清拭体１４で天面部１０４ｂを清拭した後に、摺動部材３を一側に戻し、清拭体１４で天面部１０４ｂを２回清拭してもよい。
【００３９】
１−３．変形例
次に、図４を参照して第１の実施の形態例にかかる消毒キャップの変形例について説明する。
図４は、消毒キャップの変形例を示す断面図である。
【００４０】
図４に示す消毒キャップ１Ａの変形例が本例の消毒キャップ１と異なる点は、摺動部材の構成である。そのため、ここでは、摺動部材について説明し、本例の消毒キャップ１と共通する部分には、同一の符号を付して重複した説明を省略する。
【００４１】
図４に示すように、消毒キャップ１Ａは、摺動部材３Ａを有している。摺動部材３Ａは、スライダ１１Ａと、含浸部１２Ａと、付勢部材１３Ａとを有している。含浸部１２Ａは、付勢板１６Ａに固定されている。含浸部１２Ａは、第１清拭体１４ａＡと、第２清拭体１４ｂＡと、保護体１５Ａとを有している。
【００４２】
保護体１５Ａは、摺動部材３Ａの長手方向の一側に配置され、第１清拭体１４ａＡは、摺動部材３Ａの長手方向の他側に配置されている。第２清拭体１４ｂＡは、保護体１５Ａと第１清拭体１４ａＡの間に配置されている。
【００４３】
この摺動部材３Ａを有する消毒キャップ１Ａによれば、オスコネクタ接続部１０４の天面部１０４ｂを清拭する際に、まず第１清拭体１４ａＡで天面部１０４ｂを清拭し、さらに第２清拭体１４ｂＡで天面部１０４ｂを清拭することができる。したがって、第１清拭体１４ａＡと第２清拭体１４ｂＡで天面部１０４ｂを２回清拭することができ、天面部１０４ｂに対する清拭効果を更に高めることができる。
【００４４】
なお、摺動部材３Ａに設けた清拭体の数は、２つに限定されるものではなく、３つ以上設けてもよい。
【００４５】
その他の構成は、第１の実施の形態にかかる消毒キャップ１と同様であるため、それらの説明は省略する。このような摺動部材３Ａを有する消毒キャップ１Ａによっても、上述した第１の実施の形態例にかかる消毒キャップ１と同様の作用効果を得ることができる。
【００４６】
２．第２の実施の形態例
次に、図５及び図６を参照して本発明の第２の実施の形態例にかかる消毒キャップについて説明する。
図５及び図６は、第２の実施の形態例にかかる消毒キャップを示す斜視図である。
【００４７】
この第２の実施の形態例にかかる消毒キャップが、第１の実施の形態例にかかる消毒キャップと異なる点は、キャップ本体の構成である。そのため、ここでは、キャップ本体について説明し、第１の実施の形態例にかかるキャップ本体と共通する部分には、同一の符号を付して重複した説明を省略する。
【００４８】
図５に示すように、消毒キャップ２１は、キャップ本体２２と、摺動部材３とを有している。摺動部材３は、第１の実施の形態例にかかる摺動部材３と同一の構成を有しているため、その説明は省略する。
【００４９】
キャップ本体２２は、第１部材２３と、第２部材２５とを有している。第１部材２３と、第２部材２５は、互いに接近及び離反可能に連結されている。第１部材２３には、半円状の第１挟持凹部２６Ａと、一対の連結溝２７，２７と、第１摺動支持部２８Ａが形成されている。
【００５０】
第１挟持凹部２６Ａは、第１部材２３における第２部材２５と対向する対向面２３ａに形成されている。第１挟持凹部２６Ａは、オスコネクタ接続部１０４の外周面に当接し、オスコネクタ接続部１０４に係合される。
【００５１】
２つの連結溝２７，２７は、第１部材２３における対向面２３ａに設けられている。また、２つの連結溝２７，２７は、後述する第１摺動支持部２８Ａを間に挟んで対向面２３ａの両端部に形成されている。連結溝２７，２７は、対向面２３ａから長手方向に沿って第１部材２３の対向面２３ａと反対側の端面に向けて所定の長さで形成されている。連結溝２７，２７には、係合突起２７ａが設けられている。
【００５２】
第１摺動支持部２８Ａは、第１部材２３の上下方向の上部に設けられており、第１部材２３の長手方向に沿って延在する凹部である。第１摺動支持部２８Ａには、第１の実施の形態例にかかる摺動支持部６と同様に、ガイド溝３１Ａが形成されている。このガイド溝３１Ａには、ストッパー３２が設けられている。また、第１摺動支持部２８Ａの底面２８ａＡには、第１挟持凹部２６Ａの開口が形成されている。
【００５３】
第２部材２５には、半円状の第２挟持凹部２６Ｂと、一対の連結片２９，２９と、第２摺動支持部２８Ｂが形成されている。第２挟持凹部２６Ｂは、第２部材２５における第１部材２３と対向する対向面２５ａに形成されている。第２挟持凹部２６Ｂは、オスコネクタ接続部１０４の外周面に当接し、オスコネクタ接続部１０４に係合される。また、図６に示すように、第１部材２３と第２部材２５の対向面２３ａ，２５ａが接触した際、第１挟持凹部２６Ａと第２挟持凹部２６Ｂは、互いに対向する。
【００５４】
２つの連結片２９，２９は、第２部材２５における対向面２５ａに設けられている。２つの連結片２９，２９は、後述する第２摺動支持部２８Ｂを間に挟んで対向面２５ａの両端部に形成されている。そして、２つの連結片２９，２９は、対向面２５ａから第１部材２３に向けて突出している。２つの連結片２９，２９は、それぞれ第１部材２３の連結溝２７に挿入される。
【００５５】
さらに、２つの連結片２９，２９における互いに対向する一面と反対側の面には、係合溝２９ａが形成されている。この係合溝２９ａには、連結溝２７に設けた係合突起２７ａが摺動可能に係合される。これにより、第１部材２３と第２部材２５がガタつくことなく、接近及び離反動作させることができる。
【００５６】
第２摺動支持部２８Ｂは、第２部材２５の上下方向の上部に設けられており、第２部材２５の長手方向に沿って延在する凹部である。第２摺動支持部２８Ｂには、第１の実施の形態例にかかる摺動支持部６と同様に、ガイド溝３１Ｂが形成されている。また、第２摺動支持部２８Ｂの底面２８ａＢには、第２挟持凹部２６Ｂの開口が形成されている。
【００５７】
上述した構成を有する消毒キャップ２１は、例えば、次のようにしてコネクタ１００に取り付けられる。
まず、図５に示すように、第１部材２３の第１挟持凹部２６Ａにオスコネクタ接続部１０４の側面部に当接させる。なお、第２部材２５の第２挟持凹部２６Ｂにオスコネクタ接続部１０４を当接させてもよい。
【００５８】
次に、図６に示すように、第２部材２５を第１部材２３に接近させて、一対の連結片２９，２９を一対の連結溝２７内に押し込む。これにより、オスコネクタ接続部１０４は、第１挟持凹部２６Ａと第２挟持凹部２６Ｂにより挟持される。そして、オスコネクタ接続部１０４のねじ部１０４ｃが第１挟持凹部２６Ａ及び第２挟持凹部２６Ｂに係合される。その結果、消毒キャップ２１がコネクタ１００に取り付けられる。
【００５９】
このとき、第１摺動支持部２８Ａと第２摺動支持部２８Ｂが連通する。また、第１部材２３のガイド溝３１Ａと第２部材２５のガイド溝３１Ｂも連通する。そのため、摺動部材３は、キャップ本体２２における第１部材２３から第２部材２５まで摺動可能となる。また、オスコネクタ接続部１０４の天面部１０４ｂは、第１摺動支持部２８Ａの底面２８ａＡ及び第２摺動支持部２８Ｂの底面２８ａＢに形成される第１挟持凹部２６Ａ及び第２挟持凹部２６Ｂの開口部から露出される。
【００６０】
その他の構成は、第１の実施の形態にかかる消毒キャップ１と同様であるため、それらの説明は省略する。このような構成を有する消毒キャップ２１によっても、上述した第１の実施の形態例にかかる消毒キャップ１と同様の作用効果を得ることができる。さらに、第２の実施の形態例にかかる消毒キャップ２１の清拭動作は、第１の実施の形態例にかかる消毒キャップ１の清拭動作と同様であるため、その説明は省略する。
【００６１】
３．第３の実施の形態例
次に、図７を参照して本発明の第３の実施の形態例にかかる消毒キャップについて説明する。
図７は、第３の実施の形態例にかかる消毒キャップを示す斜視図である。
【００６２】
この第３の実施の形態例にかかる消毒キャップが、第１の実施の形態例にかかる消毒キャップと異なる点は、キャップ本体の構成である。そのため、ここでは、キャップ本体について説明し、第１の実施の形態例にかかるキャップ本体と共通する部分には、同一の符号を付して重複した説明を省略する。
【００６３】
図７に示すように、消毒キャップ４１は、キャップ本体４２と、摺動部材３とを有している。摺動部材３は、第１の実施の形態例にかかる摺動部材３と同一の構成を有しているため、その説明は省略する。
【００６４】
キャップ本体４２は、第１部材４３と、第２部材４５と、第１部材４３及び第２部材４５を回動可能に支持する回動軸４９と、付勢ばね５０とを有している。
【００６５】
第１部材４３は、第１挟持部４３ａと、操作部４３ｂと、軸受部４３ｃとを有している。第１挟持部４３ａにおける第２部材４５と対向する一面には、略半円状の第１挟持凹部４６Ａが形成されている。
【００６６】
また、第１挟持部４３ａの上部には、第１摺動支持部４８Ａが設けられている。第１摺動支持部４８Ａの構成は、第２の実施の形態例にかかる第１摺動支持部２８Ａと同一であるため、その説明は省略する。この第１摺動支持部４８Ａには、ガイド溝５１Ａとストッパー５２が設けられている。
【００６７】
操作部４３ｂは、第１挟持部４３ａにおける第１摺動支持部４８Ａが延在する方向と直交する方向の端面から突出している。また、第１挟持部４３ａと操作部４３ｂの間には、軸受部４３ｃが形成されている。
【００６８】
第２部材４５は、第２挟持部４５ａと、操作部４５ｂと、軸受部４５ｃとを有している。第２挟持部４５ａにおける第１部材４３と対向する一面には、略半円状の第２挟持凹部４６Ｂが形成されている。第２挟持凹部４６Ｂは、第１挟持部４３ａと第２挟持部４５ａが接触した際に、第１挟持凹部４６Ａと対向する。
【００６９】
また、第２挟持部４５ａの上部には、第２摺動支持部４８Ｂが設けられている。第２摺動支持部４８Ｂの構成は、第２の実施の形態例にかかる第２摺動支持部２８Ｂと同一であるため、その説明は省略する。この第２摺動支持部４８Ｂには、ガイド溝５１Ｂが設けられている。第１挟持部４３ａと第２挟持部４５ａが接触した際に、第２摺動支持部４８Ｂは、第１摺動支持部４８Ａと連通する。
【００７０】
操作部４５ｂは、第２挟持部４５ａにおける第２摺動支持部４８Ｂが延在する方向と直交する方向の端面から突出している。また、第２挟持部４５ａと操作部４５ｂの間には、軸受部４５ｃが形成されている。
【００７１】
回動軸４９は、第１部材４３の軸受部４３ｃと第２部材４５の軸受部４５ｃを貫通し、第１部材４３及び第２部材４５を連結すると共に回動可能に支持している。
【００７２】
付勢ばね５０は、第１部材４３の操作部４３ｂ及び第２部材４５の操作部４５ｂを貫通している。また、付勢ばね５０の一端は、第１挟持部４３ａに当接し、他端は、第２挟持部４５ａに当接している。そして、付勢ばね５０は、第１挟持部４３ａと第２挟持部４５ａが互いに接近する方向に付勢している。
【００７３】
上述した構成を有する第３の実施の形態例にかかる消毒キャップ４１は、例えば、次のようにしてコネクタ１００に取り付けられる。
まず、使用者が、付勢ばね５０の付勢力に抗して、第１部材４３の操作部４３ｂ及び第２部材４５の操作部４５ｂを接近させると、第１部材４３及び第２部材４５は、回動軸４９を中心に回動する。そして、第１挟持部４３ａと第２挟持部４５ａが離反し、第１挟持凹部４６Ａと第２挟持凹部４６Ｂの間が開く。これにより、第１挟持凹部４６Ａと第２挟持凹部４６Ｂの間にコネクタ１００のオスコネクタ接続部１０４を挿入することができる。
【００７４】
また、使用者が第１部材４３の操作部４３ｂ及び第２部材４５の操作部４５ｂの操作を解除すると、第１部材４３及び第２部材４５は、付勢ばね５０の付勢力により回動軸４９を中心に回動する。そして、第１挟持部４３ａと第２挟持部４５ａが接近する。これにより、オスコネクタ接続部１０４を第１挟持凹部４６Ａと第２挟持凹部４６Ｂで挟持することができ、消毒キャップ４１とコネクタ１００に取り付けることができる。
【００７５】
なお、本例では、付勢ばね５０が第１挟持部４３ａと第２挟持部４５ａを互いに接近する方向に付勢する例を説明したが、これに限定されるものではない。例えば、付勢ばねを第１部材４３の操作部４３ｂと第２部材４５の操作部４５ｂの間に配置し、第１部材４３の操作部４３ｂと第２部材４５の操作部４５ｂが互いに離反する方向に付勢させるように構成してもよい。
【００７６】
その他の構成は、第１の実施の形態にかかる消毒キャップ１及び第２の実施の形態例にかかる消毒キャップ２１と同様であるため、それらの説明は省略する。このような構成を有する消毒キャップ４１によっても、上述した第１の実施の形態例にかかる消毒キャップ１及び第２の実施の形態例にかかる消毒キャップ２１と同様の作用効果を得ることができる。
【００７７】
なお、本発明は上述しかつ図面に示した実施の形態に限定されるものではなく、特許請求の範囲に記載した発明の要旨を逸脱しない範囲内で種々の変形実施が可能である。例えば、上述した実施の形態例では、摺動部材を摺動支持部の一側から他側のみに摺動させた例を説明したが、これに限定されるものではなく、摺動部材を摺動支持の底面に形成された開口部の一端から反対側の端部を越えた位置まで摺動させた後に、摺動部材を開口部の上まで戻してもよい。
【００７８】
さらに、第２の実施の形態例にかかる消毒キャップ２１及び第３の実施の形態例にかかる消毒キャップ４１においても、第１の実施の形態例の変形例である消毒キャップ１Ａの摺動部材３Ａを用いてもよい。
【００７９】
また、複数の摺動部材を用意し、摺動部材をキャップ本体の摺動支持部に着脱可能に取り付けるようにしてもよい。この場合、一つ目の摺動部材でオスコネクタ接続部を清拭した後に、摺動部材をキャップ本体の摺動支持部から取り外す。次に、使用した摺動部材とは別の新たな摺動部材をキャップ本体の摺動支持部に取り付けて、新たな摺動部材で２回目の清拭作業を行い、この摺動部材の保護体によってキャップ本体の開口部を塞ぐようにしてもよい。
【符号の説明】
【００８０】
１，１Ａ，２１，４１…消毒キャップ、  ２，２２，４２…キャップ本体、  ３，３Ａ…摺動部材、  ４…螺合孔、  ４ａ…ねじ溝、  ４ｂ…開口部、  ６…摺動支持部、  ６ａ…底面、  ８，３２…ストッパー、  １１…スライダ、  １２，１２Ａ…含浸部、  １３…付勢部材、  １４…清拭体、  １４ａＡ…第１清拭体、  １４ｂＡ…第２清拭体、  １５，１５Ａ…保護体、  ２３，４３…第１部材、  ２５，４５…第２部材、  ２６Ａ，４６Ａ…第１挟持凹部、  ２６Ｂ，４６Ｂ…第２挟持凹部、  ２７…連結溝、  ２８Ａ，４８Ａ…第１摺動支持部、  ２８ａＡ，２８ａＢ…底面、  ２８Ｂ，４８Ｂ…第２摺動支持部、  ２９…連結片、  ４３ａ…第１挟持部、  ４３ｂ，４５ｂ…操作部、  ４３ｃ，４５ｃ…軸受部、  ４５ａ…第２挟持部、  ４９…回動軸、  ５０…付勢ばね  １００…コネクタ、  １０１…コネクタ本体、  １０２…弁体、  １０４…オスコネクタ接続部、  １０４ｂ…天面部、  １０４ｃ…ねじ部
【図１】
2016168250.tif 000003
【図２】
2016168250.tif 000004
【図３】
2016168250.tif 000005
【図４】
2016168250.tif 000006
【図５】
2016168250.tif 000007
【図６】
2016168250.tif 000008
【図７】
2016168250.tif 000009